(57)【要約】【課題】内部を大きく開放し易い印刷装置を提供する。【解決手段】印刷装置１０は、連続用紙Ｓを収容する収容部２０と、収容部２０から引き出した連続用紙Ｓのガイドユニット３０と、ガイドユニット３０を支持するリンク機構９０と、ガイドユニット３０及びリンク機構９０を収容するケース１１と、ケース１１に開閉可能に取り付けられるカバー１５とを有し、ケース１１の内部には、収容部２０及び部品収容部７３が設けられ、リンク機構９０は、ガイドユニット３０を搬送位置と開放位置とに移動可能に支持し、カバー１５が開位置にありガイドユニット３０が開放位置にあると、部品収容部７３は露出する。【選択図】図６
2020196223.tif 000002
【特許請求の範囲】
【請求項１】
印刷媒体に印刷する印刷装置であって、
ロール状に巻いた前記印刷媒体を収容する収容部と、
前記収容部から引き出した前記印刷媒体のガイド部材と、
前記ガイド部材を支持する支持機構と、
前記ガイド部材、及び、前記支持機構を収容するケースと、
前記ケースに開閉可能に取り付けられるカバーと、を有し、
前記ケースの内部には、前記収容部、及び、部品収容部が設けられており、
前記支持機構は、前記ガイド部材を、前記印刷媒体をガイドする第１位置と、前記第１位置とは異なる第２位置とに移動可能に支持し、
前記カバーが開位置にあり、前記ガイド部材が前記第２位置にあると、前記部品収容部は露出する、印刷装置。
【請求項２】
前記支持機構は、
前記ガイド部材と前記ケースとを連結するリンクを有し、
前記収容部に向けて回動することで、前記ガイド部材を、前記第１位置から前記第２位置に移動する、請求項１記載の印刷装置。
【請求項３】
前記ガイド部材は、前記印刷媒体の搬送方向において、下流に設けられる第１端部と、上流に設けられる第２端部とを有し、
前記第１端部と、前記第２端部とは前記支持機構と連結しており、
前記支持機構は、前記ケースの底部に設けられる第１回動中心、及び、前記第１端部を連結する第１リンクと、前記ケースの底部に設けられる第２回動中心、及び、前記第２端部を連結する第２リンクと、を有する四節リンク機構である、請求項１または２記載の印刷装置。
【発明の詳細な説明】
【技術分野】
【０００１】
本発明は、印刷装置に関する。
【背景技術】
【０００２】
特許文献１には、作業者により交換可能なユニット状のモジュールを備えた印刷装置が開示されている。
【先行技術文献】
【特許文献】
【０００３】
【特許文献１】特開２００７−１０８７４３号公報
【発明の概要】
【発明が解決しようとする課題】
【０００４】
特許文献１に記載の印刷装置では、内部を大きく開放し難く、ユニットの取付位置によっては、ユニットまで作業者の手が届き難い場合があり、ユニットの取り外しに手間がかかるという課題があった。
【課題を解決するための手段】
【０００５】
上記課題を解決する一態様は、印刷媒体に印刷する印刷装置であって、ロール状に巻いた前記印刷媒体を収容する収容部と、前記収容部から引き出した前記印刷媒体のガイド部材と、前記ガイド部材を支持する支持機構と、前記ガイド部材、及び、前記支持機構を収容するケースと、前記ケースに開閉可能に取り付けられるカバーと、を有し、前記ケースの内部には、前記収容部、及び、部品収容部が設けられており、前記支持機構は、前記ガイド部材を、前記印刷媒体をガイドする第１位置と、前記第１位置とは異なる第２位置とに移動可能に支持し、前記カバーが開位置にあり、前記ガイド部材が前記第２位置にあると、前記部品収容部は露出する、印刷装置である。
【０００６】
上記印刷装置において、前記支持機構は、前記ガイド部材と前記ケースとを連結するリンクを有し、前記収容部に向けて回動することで、前記ガイド部材を、前記第１位置から前記第２位置に移動する、構成であってもよい。
【０００７】
上記印刷装置において、前記ガイド部材は、前記印刷媒体の搬送方向において、下流に設けられる第１端部と、上流に設けられる第２端部とを有し、前記第１端部と、前記第２端部とは前記支持機構と連結しており、前記支持機構は、前記ケースの底部に設けられる第１回動中心、及び、前記第１端部を連結する第１リンクと、前記ケースの底部に設けられる第２回動中心、及び、前記第２端部を連結する第２リンクと、を有する四節リンク機構である、構成であってもよい。
【図面の簡単な説明】
【０００８】
【図１】印刷装置の外観を示す図。
【図２】印刷装置の左右方向中央に沿った縦断面の模式図。
【図３】印刷装置の内部を示す斜視図。
【図４】印刷装置を後方から見た斜視図。
【図５】図４のガイドユニットを開放位置に移動させた場合の斜視図。
【図６】ガイドユニットが開放位置に移動した場合の縦断面の模式図。
【発明を実施するための形態】
【０００９】
以下、本発明の好適な実施形態について、図面を用いて詳細に説明する。なお、以下に説明する実施形態は、特許請求の範囲に記載された本発明の内容を限定するものではない。また、以下で説明される構成の全てが本発明の必須構成要件であるとは限らない。
【００１０】
［１．第１実施形態］
［１−１．印刷装置の全体構成］
図１は、印刷装置１０の外観を示す図である。図２は、印刷装置１０の左右方向中央に沿った縦断面の模式図である。各図において、印刷装置１０の設置状態に対して、印刷装置１０の上方を符号Ｕｐで示し、印刷装置１０の前方を符号Ｆｒで示し、印刷装置１０の右方を符号Ｒｈで示す。
【００１１】
印刷装置１０は、長尺の台紙に一定間隔でラベルを貼り付けたラベル用紙などの連続用紙Ｓに印刷するプリンターであり、ラベルプリンターとも称する。連続用紙Ｓは、印刷媒体の一例に対応する。印刷装置１０は、ＵＳＢケーブル又はＬＡＮなどを介して、情報処理端末と有線又は無線で接続され、情報処理端末から送信された印刷データに基づいて印刷を行う。ＵＳＢは、Ｕｎｉｖｅｒｓａｌ  Ｓｅｒｉａｌ  Ｂｕｓの略語である。ＬＡＮは、Ｌｏｃａｌ  Ａｒｅａ  Ｎｅｔｗｏｒｋの略語である。
【００１２】
図１に示すように、印刷装置１０は、この印刷装置１０の筐体を構成するケース１１を有する。ケース１１の前面左部には、操作ボタン等を有する操作パネル１２が設けられる。ケース１１の前面中央部には、印刷された連続用紙Ｓが排出されるスリット状の排紙口１３が設けられる。排紙口１３の左右には、インクカートリッジの装着部を覆う装着部カバー１４が設けられる。装着部カバー１４は、インクカートリッジの交換時に開閉される。
【００１３】
ケース１１の後部上面には、カバー１５が設けられる。このカバー１５が開位置に移動して開かれることによって、連続用紙Ｓの搬送経路２１に設けられたガイドユニット３０が露出する。本実施形態のカバー１５は、図示しないヒンジを中心に開位置と閉位置との間を回動可能である。
【００１４】
図２に示すように、印刷装置１０は、連続用紙Ｓをロール状に巻いたロール紙１００が収容される収容部２０と、収容部２０からケース１１の排紙口１３に向かう搬送経路２１と、搬送経路２１の所定位置で連続用紙Ｓに印刷を行う印刷部２２とを備える。連続用紙Ｓはラベル用紙に限定されるものでなく、様々な種類のものが用いられる。例えば、長手方向に間隔を空けて設けられたミシン目に沿って折りたたまれた用紙、いわゆる、ファンフォールド紙が用いられてもよい。本実施形態では、連続用紙Ｓとして、ロール紙１００を用いる構成を説明する。また、収容部２０から排紙口１３に向かう搬送経路２１に沿って連続用紙Ｓが搬送される方向を搬送方向とし、搬送方向に直交する方向を幅方向として説明する。なお、左右方向は、幅方向の一例に対応する。
【００１５】
収容部２０は、ケース１１のうち、カバー１５の下方に配置される。ロール紙１００は、ロール紙回転軸２３を介して収容部２０の側壁部に回転可能に支持される。
【００１６】
収容部２０の前部上方には、ガイドユニット３０が配置される。ガイドユニット３０は、ガイド部材の一例に対応する。ガイドユニット３０は、連続用紙Ｓの紙案内として機能する。ガイドユニット３０は、収容部２０から引き出された連続用紙Ｓの下面を支持可能なガイド台３１を備える。ガイド台３１は、幅方向に延びて前方になるほど下方に傾斜する上面プレート３１Ａを備える。ガイド台３１には、連続用紙Ｓをガイドする側壁状の固定ガイド３２および可動ガイド３３が支持される。固定ガイド３２は上面プレート３１Ａの左側に固定される。左側は、幅方向の一側の一例に対応する。可動ガイド３３は、上面プレート３１Ａの幅方向にスライド可能に支持され、固定ガイド３２に対して接近、離間可能に支持される。
【００１７】
固定ガイド３２および可動ガイド３３は、連続用紙Ｓの搬送方向に延伸する。固定ガイド３２および可動ガイド３３は、幅方向の端部、すなわち、左右方向の端部である側端に接触し、連続用紙Ｓの側端の位置をガイドする。連続用紙Ｓは、固定ガイド３２側を位置の基準として搬送される。
【００１８】
印刷装置１０では、連続用紙Ｓの紙幅に応じてガイド３２、３３の位置を調整する際に、固定ガイド３２に連続用紙Ｓの側端を接触させた状態で、可動ガイド３３の位置を調整する。よって、連続用紙Ｓのうち固定ガイド３２に当接する側端は、連続用紙Ｓの紙幅によらず、幅方向において常に同じ位置に揃えられて搬送される。
【００１９】
図３は、印刷装置１０の内部を示す斜視図である。
印刷装置１０は、平板状の底部フレーム２４Ｄと、底部フレーム２４Ｄの左右方向両側に立設された側壁状のサイドフレーム２４Ｌ、２４Ｒと、を備える。フレーム２４Ｄ、２４Ｌ、２４Ｒはケース１１で覆われる。
サイドフレーム２４Ｌ、２４Ｒには、紙送りローラー４０が支持される。紙送りローラー４０は、ガイドユニット３０よりも搬送方向下流側に設けられる。紙送りローラー４０は、駆動ローラー４１と、駆動ローラー４１に対向する従動ローラー４２とを備える。
【００２０】
駆動ローラー４１は、幅方向に延びる軸部４１Ａと、軸部４１Ａに設けられ軸部４１Ａよりも大径のローラー部４１Ｂとを備える。駆動ローラー４１は、サイドフレーム２４Ｌ、２４Ｒに回転可能に支持される。ローラー部４１Ｂは、軸方向に間隔を空けて軸部４１Ａに設けられる。
【００２１】
駆動ローラー４１の上方には、従動ローラー４２が配置される。従動ローラー４２は、ローラー本体４２Ａを備える。ローラー本体４２Ａは、駆動ローラー４１のローラー部４１Ｂ毎に設けられ、ローラー部４１Ｂに対向して配置される。ローラー本体４２Ａは、前後方向に延びるアーム４３に支持される。ローラー本体４２Ａは、アーム４３の前端部に、幅方向に延びる回転中心を中心として回転可能に支持される。アーム４３は、後端部で幅方向に延びる回動中心を中心として、サイドフレーム２４Ｌ、２４Ｒに回動可能に支持される。アーム４３は、図示しない付勢部材により付勢され、ローラー本体４２Ａが駆動ローラー４１に押し当てられるように付勢される。駆動ローラー４１と従動ローラー４２とは連続用紙Ｓを挟んで搬送する。
【００２２】
左側のサイドフレーム２４Ｌには、搬送モーター４６が支持される。搬送モーター４６は、不図示の動力伝達部材を介して駆動ローラー４１に動力を伝達する。搬送モーター４６は正逆駆動可能に構成されており、駆動ローラー４１を正逆回転させる。搬送モーター４６が駆動すると、駆動ローラー４１が駆動する。また、駆動ローラー４１に押し当てられた従動ローラー４２が駆動ローラー４１の回転に伴って従動回転する。
【００２３】
図２に示すように、紙送りローラー４０の搬送方向下流側には、印刷部２２が配置される。印刷部２２は、連続用紙Ｓにインクを吐出するインクジェットヘッド２５（印刷ヘッド）を備える。インクジェットヘッド２５は、キャリッジ２６に搭載される。キャリッジ２６は、幅方向に延びるキャリッジ軸２７に沿って、幅方向に移動可能に支持される。また、キャリッジ２６は、ケース１１内に設けられたガイドフレーム２８に沿って移動可能に支持される。キャリッジ２６が、キャリッジ軸２７およびガイドフレーム２８に沿って移動することにより、インクジェットヘッド２５を主走査方向に移動させる。
【００２４】
インクジェットヘッド２５は、例えばＣＹＭＫの４色のインクに対応する複数のノズル列を備える。インクジェットヘッド２５は、図示しないインクカートリッジからインクの供給を受けて、各ノズル列に設けられたノズルからインクを吐出して連続用紙Ｓにドットを形成して画像を印刷する。
【００２５】
図３に示すように、印刷装置１０の本体の左右下部には、インクカートリッジ装着部２９Ｌ、２９Ｒが設けられる。インクカートリッジ装着部２９Ｌ、２９Ｒに装着されたインクカートリッジには、図示しない管を介して、図２に示す加圧ポンプユニット７０が接続される。加圧ポンプユニット７０が駆動してインクカートリッジを加圧することにより、インクが図示しないインク流路を通じてインクジェットヘッド２５に供給される。
【００２６】
ここで、印刷装置１０が使用するインクの色数は、４色に限定されず、例えば、ＣＭＹＫの４色に特色インクを加えた多色のインクで印刷する構成であってもよい。また、印刷装置１０は、モノクロ印刷や２色インクによる印刷を行う構成であってもよい。
【００２７】
搬送経路２１において、インクジェットヘッド２５と対向する位置には、プラテンユニット５０が配置される。プラテンユニット５０は、上面に吸引プラテン５１を備える。吸引プラテン５１は、平らな載置面５１Ａを有し、インクジェットヘッド２５によりドットの形成が可能な範囲に亘って延在する。この載置面５１Ａに載置される連続用紙Ｓは、プラテンユニット５０後部の吸引ファン５２により吸引される。印刷装置１０は、吸引プラテン５１を作動させた状態、すなわち、連続用紙Ｓを吸引した状態で連続用紙Ｓを搬送することにより、連続用紙Ｓが吸引プラテン５１から浮かないようにして搬送できる。これにより、連続用紙Ｓと印刷部２２のインクジェットヘッド２５との間の距離を適正に維持する。
【００２８】
吸引プラテン５１の搬送方向下流部に対向して、吸引プラテン５１の上方には、スターホイールユニット６０が配置される。図３に示すように、スターホイールユニット６０は、搬送部材の一例に対応する複数のスターホイール６１を備える。スターホイール６１には、外周縁に一定の角度ピッチで突起が形成される。スターホイール６１は、スターホイールユニット６０のフレーム６０Ａに回転可能に支持される。スターホイール６１は、幅方向に間隔を空けて配置される。スターホイール６１は、連続用紙Ｓに対する接触面積が小さく、連続用紙Ｓに記録された画像の品質の劣化を低減しつつ、連続用紙Ｓを搬送可能である。
【００２９】
図２に示すように、吸引プラテン５１の搬送方向下流側には、連続用紙Ｓをカットするための図示しないカッターユニットが装着可能である。カッターユニットは、連続用紙Ｓの幅方向において一部を切り残すカットをするものであってもよいし、連続用紙Ｓを完全に切断するものであってもよい。印刷装置１０は、インクジェットヘッド２５で印刷された連続用紙Ｓを、カッターユニットにより所定長さにカットして、排紙口１３から排出可能となる。
【００３０】
ケース１１内には、収容部２０から排紙口１３に向かう連続用紙Ｓの搬送される搬送経路２１が、ガイドユニット３０、紙送りローラー４０、吸引プラテン５１、排紙口１３に沿って、形成される。
【００３１】
ガイドユニット３０の搬送方向下流部の上方には、ガイド壁６５が設けられる。ガイド壁６５は、幅方向に延びてサイドフレーム２４Ｌ、２４Ｒに支持される。ガイド壁６５は、上方から下方に延び、下方になるほど搬送方向下流側に湾曲する。ガイド壁６５の下端部は、ガイドユニット３０の上面プレート３１Ａに搬送方向下流側で対向する。本実施形態では、ガイド壁６５に沿ってガイドユニット３０に印刷媒体を搬送可能であり、ガイド壁６５に沿った印刷媒体は紙送りローラー４０で搬送可能である。ガイド壁６５に沿って上方から延びる上方搬送経路６５Ａが形成される。
【００３２】
ガイド壁６５とガイドユニット３０との間には、光センサー７１が配置される。光センサー７１の位置は、上方搬送経路６５Ａの下流側となる搬送経路２１である。
光センサー７１は、連続用紙Ｓにおけるラベルを検出するセンサーであり、いわゆるラベル検である。光センサー７１は、検出光を発する発光部７１Ａと検出光を受光する受光部７１Ｂとで構成される。発光部７１Ａはガイド壁６５に配置され、ガイドユニット３０には、発光部７１Ａに対向して受光部７１Ｂが配置される。なお、ガイド壁６５に受光部７１Ｂが配置され、ガイドユニット３０に発光部７１Ａが配置されてもよい。光センサー７１は、受光部７１Ｂで受光した光量に応じた検出値を出力する。印刷装置１０は、光センサー７１の検出値に基づき、光センサー７１の位置におけるラベル用紙の有無を判定する。
【００３３】
［１−２．ガイドユニットの詳細な構成］
図４は、印刷装置１０を後方から見た斜視図である。図５は、図４のガイドユニット３０を開放位置に移動させた場合の斜視図である。図４、図５では、カバー１５の図示を省略する。
ガイドユニット３０のガイド台３１は、上面プレート３１Ａと、上面プレート３１Ａの左右に一対配置された側部プレート３１Ｂ、３１Ｃと、側部プレート３１Ｂ、３１Ｃの後方に配置された後部プレート３１Ｄと、を備える。
【００３４】
上面プレート３１Ａの搬送方向下流端には、図５に示すように、下流側に突出する複数の突出片３１Ａ１が形成される。突出片３１Ａ１は、幅方向に所定の間隔を空けて形成される。突出片３１Ａ１は、紙送りローラー４０の駆動ローラー４１のローラー部４１Ｂ間の隙間に進入する。これにより、紙送りローラー４０と上面プレート３１Ａとの間の隙間に、連続用紙Ｓが進入して紙詰まりが生じることが防止される。
【００３５】
後部プレート３１Ｄの幅方向中央部には、操作レバー８０が支持される。図２に示すように、操作レバー８０は、幅方向に延びるレバー軸８１を中心に回動可能に支持される。レバー軸８１は側部プレート３１Ｂ、３１Ｃ間に支持される。操作レバー８０は、レバー軸８１から下方に延びる把持部８０Ａと、レバー軸８１から前方に延びる係合部８０Ｂとを備える。
【００３６】
係合部８０Ｂには、上下方向に延びる長孔８０Ｃが形成される。長孔８０Ｃには幅方向に延びる連結ピン８２が挿入される。連結ピン８２は、前後方向に延びるリンク爪８３の後端部に支持される。
【００３７】
リンク爪８３は前後方向中央部で、幅方向に延びるリンク軸８４に回動可能に支持される。リンク爪８３の前端部には、後方ほど下方に傾斜する傾斜部８３Ａが形成される。傾斜部８３Ａの後方には、上方に切りかかれた引掛け部８３Ｂが形成される。引掛け部８３Ｂには、幅方向に延びるロック軸８５が進入して係合しロックされる。ロック軸８５は、印刷装置１０のサイドフレーム２４Ｌ、２４Ｒに支持される。
【００３８】
操作レバー８０の把持部８０Ａが後方に引かれると、操作レバー８０がレバー軸８１を中心に回動して係合部８０Ｂが下方に移動する。係合部８０Ｂが下方に移動すると、連結ピン８２を介して、リンク爪８３の後端が下方に移動する。よって、リンク爪８３がリンク軸８４を中心に回動して、リンク爪８３の前端が上方に移動し、リンク爪８３がロック軸８５から外れる。よって、ガイドユニット３０が搬送位置から離脱可能となり、ガイドユニット３０が開放位置に移動可能となる。
【００３９】
なお、開放位置から搬送位置に移動する場合には、ガイドユニット３０が前方に移動するのに伴って、リンク爪８３の傾斜部８３Ａがロック軸８５にガイドされて上方に移動する。これにより、リンク爪８３がロック軸８５を乗り越えてロック軸８５に係合する。
【００４０】
上面プレート３１Ａの後部下方には、連続用紙Ｓを検出するスイッチ式のセンサー８６が配置される。なお、上面プレート３１Ａの前部下方には、光センサー７１の受光部７１Ｂが配置される。
【００４１】
ロック軸８５の下方には、ガイドユニット３０が搬送位置に移動したか否かを検出するセンサー８７が配置される。センサー８７は、スイッチ式のセンサーであり、ガイドユニット３０の下部前端に設けられた係合部８８に押されることにより、ガイドユニット３０が搬送位置に移動したことを検出する。また、センサー８７は、係合部８８がセンサー８７から離間した場合には、ガイドユニット３０が搬送位置から移動したことを検出する。
【００４２】
図６は、ガイドユニット３０が開放位置に移動した場合の縦断面の模式図である。
図２、図４−図６を参照して、ガイドユニット３０は、リンク機構９０を介して移動可能に支持される。リンク機構９０は、支持機構の一例に対応する。リンク機構９０は、収容部２０の底部フレーム２４Ｄに支持された左右一対のステー９１と、ステー９１の後部に回動可能に支持された左右一対の後リンク９２と、ステー９１の前部に回動可能に支持された前リンク部材９３と、を備える。
【００４３】
ステー９１は、収容部２０の底部フレーム２４Ｄの幅方向外端に設けられる。ステー９１の後部には、上下方向に延びる後リンク９２が支持される。後リンク９２は、第１リンクの一例に対応する。後リンク９２の下端は、幅方向に延びるピン９２Ａを回動中心としてステー９１に回動可能に支持される。後リンク９２の下端は、後リンク９２の一端の一例に対応する。ピン９２Ａは、第１回動中心の一例に対応する。左右一対の後リンク９２の上端は、それぞれ、ガイドユニット３０の側部プレート３１Ｂ、３１Ｃの後端部３１Ｃ１に連結される。後リンク９２の上端は、後リンク９２の他端の一例に対応する。なお、右側の側部プレート３１Ｂの後端部の図示は省略する。側部プレート３１Ｂ、３１Ｃの後端部３１Ｃ１は、第１端部の一例に対応する。後リンク９２の上端は、幅方向に延びるピン９２Ｂを回動中心としてガイドユニット３０に回動可能に支持される。
【００４４】
ステー９１の前部には、折り曲げ板状の前リンク部材９３が連結される。前リンク部材９３は、幅方向に延びる壁状のカバー部９３Ａと、カバー部９３Ａの左右両側に形成された上下方向に延びる前リンク部９３Ｂと、前リンク部９３Ｂの上部から後方に突出する突当て部９３Ｃと、を備える。前リンク部材９３の左右方向の幅は、左右一対の後リンク９２間の幅よりも小さい。前リンク部９３Ｂは、第２リンクの一例に対応する。
【００４５】
前リンク部材９３の前リンク部９３Ｂの下端は、幅方向に延びるピン９３Ｄを回動中心としてステー９１に回動可能に支持される。前リンク部９３Ｂの下端は、前リンク部９３Ｂの一端の一例に対応する。ピン９３Ｄは、第２回動中心の一例に対応する。左右一対の前リンク部９３Ｂの上端は、幅方向に延びるピン９３Ｅを回動中心として、ガイドユニット３０の側部プレート３１Ｂ、３１Ｃの前端部３１Ｃ２にそれぞれ回動可能に支持される。前リンク部９３Ｂの上端は、前リンク部９３Ｂの他端の一例に対応する。なお、右側の側部プレート３１Ｂの前端部の図示は省略する。側部プレート３１Ｂ、３１Ｃの前端部３１Ｃ２は、第２端部の一例に対応する。
【００４６】
ガイドユニット３０は、前リンク部材９３の前リンク部９３Ｂと、後リンク９２とによる四節リンクであるリンク機構９０により回動可能に支持される。ガイドユニット３０は、連続用紙Ｓを搬送する図２、図４に示す搬送位置と、収容部２０に収容されて搬送経路２１を開放する図５、図６に示す開放位置との間を移動可能に支持される。搬送位置は、第１位置の一例に対応する。開放位置は、第２位置の一例に対応する。
【００４７】
ガイドユニット３０は、ロック軸８５にリンク爪８３が係合して保持され、搬送位置に保持される。また、ガイドユニット３０は、突当て部９３Ｃが底部フレーム２４Ｄに接触して、自重で開放位置に保持される。前リンク部材９３は、左右一対の後リンク９２間の幅よりも幅が小さいので、ガイドユニット３０が開放位置に移動した場合に、後リンク９２の間に、前リンク部材９３を移動させることが可能である。このため、リンク９２、９３ｅを大きく倒すように回動させることが可能であり、搬送経路２１を大きく開放し易い。
【００４８】
図２に示すように、ガイドユニット３０が搬送位置に移動している場合、ガイドユニット３０の下方には、前リンク部材９３のカバー部９３Ａが位置する。カバー部９３Ａは、搬送位置では上下方向に延びる壁状に配置される。搬送位置に移動したカバー部９３Ａは、印刷装置１０のケース１１の内側の空間を前後方向に仕切る。すなわち、搬送位置のカバー部９３Ａと、底部フレーム２４Ｄと、サイドフレーム２４Ｌ、２４Ｒとで囲まれた後方の空間により、ロール紙１００の収容部２０が形成される。また、搬送位置のカバー部９３Ａと、底部フレーム２４Ｄと、サイドフレーム２４Ｌ、２４Ｒとで囲まれた前方の空間により、部品収容部７３が形成される。部品収容部７３には、加圧ポンプユニット７０や、立設して支持された制御基板７２が配置される。前カバー部９３Ａの上端部９３Ａ１は、制御基板７２よりも高い。また、上端部９３Ａは、前方に屈曲している。上端部９３Ａ１により、収容部２０の上方からは、図４に示すように、部品収容部７３が見え難くなっている。
【００４９】
［１−３．印刷装置の開閉動作］
印刷装置１０では、連続用紙Ｓが搬送経路２１に詰まる場合がある。この場合、作業者は、印刷装置１０の上方の空間を利用してカバー１５を開位置に移動させて、収容部２０を印刷装置１０の外部に露出させる。そして、連続用紙Ｓをロール紙回転軸２３と共に収容部２０から取り外すと、ガイドユニット３０を露出させる。
【００５０】
作業者が、ガイドユニット３０の操作レバー８０を操作してガイドユニット３０のロックを解除した場合、ガイドユニット３０はリンク機構９０により搬送位置から後下方の収容部２０に移動可能となる。ガイドユニット３０を後下方に移動させた場合、前リンク部材９３および後リンク９２が後方に倒れるように回動して、ガイドユニット３０が収容部２０に移動する。そして、突当て部９３Ｃが底部フレーム２４Ｄに接触すると、ガイドユニット３０が開放位置に保持される。このとき、ガイドユニット３０の上面プレート３１Ａが、印刷装置１１の本体側のガイド壁６５や紙送りローラー４０から大きく離間する。よって、本実施形態では、搬送経路２１が大きく開放されるため、作業者が、搬送経路２１の内部を見やすいと共に、搬送経路２１に手を進入させ易い。このため、搬送経路２１に詰まった連続用紙Ｓを除去し易くなる。ガイドユニット３０が印刷装置１０のケース１１内で移動しているため、作業スペースが少なくて済む。
【００５１】
本実施形態では、前リンク部材９３の前カバー部９３Ａがリンク部９３Ｂと一体に移動する。このため、ガイドユニット３０が開放位置に移動すると、部品収容部７３が大きく開放されて外部に露出する。よって、作業者は、部品収容部７３も見易く、部品収容部７３にも手を進入させ易い。そのため、部品収容部７３内の部品のメンテンナンスなどがし易く、加圧ポンプユニット７０や、制御基板７２などのメンテナンスを容易に行うことができる。よって、例えば、図６の矢印Ｙで示すように、ガイド壁６５と、ガイドユニット３０の間の大きく開かれた空間から、加圧ポンプユニット７０を取り出すことができる。
【００５２】
紙詰まりの除去作業や、部品のメンテナンス作業が終わった場合、作業者が、ガイドユニット３０を上方に持ち上げながら前方に押すと、ガイドユニット３０はリンク機構９０により移動し、リンク爪８３がロック軸８５に係合して搬送位置に保持される。このとき、センサー８７が、ガイドユニット３０が搬送位置に移動したことを検出する。連続用紙Ｓをガイドユニット３０にセットすることにより、印刷装置１０で印刷が再開可能となる。
【００５３】
本実施形態では、ガイドユニット３０のリンク機構９０は、後リンク９２および前リンク部９３Ｂのそれぞれの上端、下端が、回動可能に連結された四節リンクである。ガイドユニット３０は、回動位置に応じた姿勢に保持されながら移動可能である。よって、本実施形態では、搬送経路２１の開閉の際に、ガイドユニット３０の姿勢を制御することができ、ガイドユニット３０が例えばガイド壁６５に接触することなく、移動させることができる。よって、ガイドユニット３０の作業性が良いと共に、ガイドユニット３０の受光部７１Ｂなどが接触、振動の影響を受けることが抑制され、製品寿命を延ばし易い。
【００５４】
以上説明したように、本実施形態の印刷装置１０は、連続用紙Ｓに印刷する印刷装置１０であって、ロール状に巻いた連続用紙Ｓ、いわゆる、ロール紙１００を収容する収容部２０を有する。また、印刷装置１０は、収容部２０から引き出した連続用紙Ｓのガイドユニット３０と、ガイドユニット３０を支持するリンク機構９０とを有する。さらに、印刷装置１０は、ガイドユニット３０、及び、リンク機構９０を収容するケース１１と、ケース１１に開閉可能に取り付けられるカバー１５と、を有する。印刷装置１０では、ケース１１の内部には、収容部２０、及び、部品収容部７３が設けられる。また、印刷装置１０では、リンク機構９０は、ガイドユニット３０を、連続用紙Ｓをガイドする搬送位置と、搬送位置とは異なる開放位置とに移動可能に支持し、カバー１５が開位置にあり、ガイドユニット３０が開放位置にあると、部品収容部７３は露出する。したがって、カバー１５と、ガイドユニット３０を移動させることで、作業者に関わらず、容易に部品収容部７３を大きく開放できる。また、大きく開放された部品収容部７３は見やすく、手などを進入させてアクセスし易いため、加圧ポンプユニット７０等の交換作業など、部品収容部７３内のメンテナンスが容易になっている。
【００５５】
本実施形態では、リンク機構９０は、ガイドユニット３０とケース１１とを連結するリンク９２、９３Ｂを有し、収容部２０に向けて回動することで、ガイドユニット３０が、搬送位置から開放位置に移動する。したがって、リンク９２、９３Ｂにより、ガイドユニット３０をケース１１内の収容部２０に移動させることができ、移動スペースをコンパクトにできる。
【００５６】
本実施形態では、ガイドユニット３０は、連続用紙Ｓの搬送方向において、下流に設けられる後端部３１Ｃ１と、上流に設けられる前端部３１Ｃ２とを有し、後端部３１Ｃ１と、前端部３１Ｃ２とはリンク機構９０と連結する。リンク機構９０は、ケース１１の底部フレーム２４Ｄに設けられるピン９２Ａ、及び、後端部３１Ｃ１を連結する後リンク９２を有する。また、リンク機構９０は、ケース１１の底部フレーム２４Ｄに設けられるピン９３Ｄ、及び、前端部３１Ｃ２を連結する前リンク部９３Ｂと、を有する四節リンク機構である。したがって、リンク９２、９３Ｂの回動位置に応じて、ガイドユニット３０の姿勢を制御することが可能であり、ガイドユニット３０が印刷装置１０の内部に接触することを回避できる。よって、ガイドユニット３０の開閉作業の作業性が良い。また、ガイドユニット３０に支持された部品の製品寿命を延ばし易い。
［２．他の実施形態］
上述した実施形態は、特許請求の範囲に記載された本発明を実施する具体的態様に過ぎず、本発明を限定するものではなく、その要旨を逸脱しない範囲において、例えば以下に示すように、種々の態様において実施することが可能である。
【００５７】
上記実施形態において、リンク機構９０は、四節リンク機構の構成が望ましいが、四節リンク機構でなくてもよい。例えば、後リンク９２が省略された構成でもよい。
【００５８】
上記実施形態において、ガイドユニット３０が搬送方向の上流側と下流側、すなわち、前後でリンク９２、９３Ｂと連結される構成を説明したが、例えば、ガイドユニット３０の上下で連結される構成でもよい。
【符号の説明】
【００５９】
１０…印刷装置、１１…ケース、１３…排紙口、２０…収容部、２１…搬送経路、２２…印刷部、２４Ｄ…底部フレーム（底部）、２５…インクジェットヘッド、２６…キャリッジ、２７…キャリッジ軸、２８…ガイドフレーム、３０…ガイドユニット（ガイド部材）、３１…ガイド台、３１Ａ…上面プレート、３１Ｃ１…後端部（第１端部）、３１Ｃ２…前端部（第２端部）、３２…固定ガイド、３３…可動ガイド、４０…紙送りローラー、４１…駆動ローラー、４１Ｂ…ローラー部、４２…従動ローラー、４２Ａ…ローラー本体、４３…アーム、５０…プラテンユニット、５１…吸引プラテン、５１Ａ…載置面、５２…吸引ファン、６０…スターホイールユニット、６１…スターホイール、６５…ガイド壁、６５Ａ…上方搬送経路、７０…加圧ポンプユニット、７１Ａ…発光部、７１Ｂ…受光部、７３…部品収容部、８０…操作レバー、８３…リンク爪、８５…ロック軸、８６…センサー、８７…センサー、８８…係合部、９０…リンク機構（支持機構）、９１…ステー、９２…後リンク、９２Ａ…ピン（第１回動中心）、９２Ｂ…ピン、９３…前リンク部材、９３Ａ…カバー部、９３Ｂ…前リンク部、９３Ｃ…突当て部、９３Ｄ…ピン（第２回動中心）、９３Ｅ…ピン、１００…ロール紙（印刷媒体）、Ｆｒ…前方、Ｒｈ…右方、Ｓ…連続用紙（印刷媒体）、Ｕｐ…上方、Ｙ…矢印。
【図１】
2020196223.tif 000003
【図２】
2020196223.tif 000004
【図３】
2020196223.tif 000005
【図４】
2020196223.tif 000006
【図５】
2020196223.tif 000007
【図６】
2020196223.tif 000008